Podtech/llm-jp-corpus-v4-ja_patent huggingface dataset:
【手続補正書】
【提出日】平成22年3月23日(2010.3.23)
【手続補正１】
【補正対象書類名】明細書
【補正対象項目名】発明の名称
【補正方法】変更
【補正の内容】
【発明の名称】カシノナガキクイムシ捕殺用おとり木トラップ及びカシノナガキクイムシの捕殺方法
【手続補正２】
【補正対象書類名】明細書
【補正対象項目名】０００３
【補正方法】変更
【補正の内容】
【０００３】
特許文献１にはカシノナガキクイムシの合成フェロモンとそれを用いた人工トラップが開示されている。
【手続補正３】
【補正対象書類名】明細書
【補正対象項目名】００１３
【補正方法】変更
【補正の内容】
【００１３】
樹幹内に注入される薬剤はナラ菌の繁殖を阻害できるものであれば特に限定されないが、例えば殺菌剤及び／又は防カビ剤を挙げることができる。殺菌剤としては例えばベンレート（ヤシマ産業（株）製）、防カビ剤としては例えばMSY-104（（株）モーリー研究所製）、等を挙げることができる。これらのナラ菌の繁殖を阻害する薬剤がナラ類生立木に注入されているので、カシノナガキクイムシが穿入して樹幹内にナラ菌を持ち込んでも繁殖することができず、共生関係にあるカシノナガキクイムシも生存することはできない。
【手続補正４】
【補正対象書類名】明細書
【補正対象項目名】００１４
【補正方法】変更
【補正の内容】
【００１４】
ナラ菌の繁殖を阻害する薬剤をナラ類生立木の樹幹内に注入するには、薬液をノズル付き容器に充填して，処理しようとする立木の樹幹下部にドリルで注入孔を開けて，そこに薬液入りノズルを挿入する。薬液は，立木の自然圧によって注入され樹幹内に行き渡る。注入量は，処理しようとする立木の胸高直径に応じた量とする。（胸高直径：20cm未満1000ml以下，20〜30cm1,200ml以下，30〜40cm1,600ml以下，40cm以上は直径に応じて適宜）
本発明に用いられるカシノナガキクイムシの集合フェロモンとしては、例えばトランス-1-メチル-4-(1-メチルエチル)-2-シクロセン-1-オール、もしくはトランス-1-メチル-4-(1-メチルエチル)-2-シクロセン-1-オールを主成分として微量成分を添加した物質等を挙げることができる。
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
被検癌患者から採取した悪性腫瘍を用いて当該患者に対する癌の診断を支援する装置であって、
前記悪性腫瘍から所定の項目を測定する測定手段と、
測定値と比較することにより癌の診断支援情報を取得するための基準値を記憶する記憶手段と、
前記測定手段により得られた測定値と前記記憶手段に記憶された基準値とを比較して、癌の診断支援情報を取得する診断支援情報取得手段と、
得られた診断支援情報を出力する出力手段と、
ユーザから基準値の変更を受け付ける変更手段と、
前記記憶手段に記憶された基準値を、変更された基準値へ更新する更新手段と
を備えることを特徴とする癌の診断支援装置。
【請求項２】
前記記憶手段に、他の癌患者の前記所定の項目の測定値と当該他の癌患者の悪性腫瘍摘出後の臨床情報とが対応付けられたサンプルデータが記憶されており、
前記記憶手段に記憶されたサンプルデータが前記出力手段に出力されているときに前記変更手段が基準値の変更を受け付けるように構成されている請求項１に記載の癌の診断支援装置。
【請求項３】
前記出力手段が、前記記憶手段に記憶されたサンプルデータの各測定値及び各臨床情報と、前記記憶手段に記憶された基準値との関係を示す画面を出力し、且つ
前記変更手段が、前記画面において基準値の変更を受け付けるように構成されている請求項２に記載の癌の診断支援装置。
【請求項４】
前記画面が、前記測定値及び前記臨床情報と、前記基準値との関係を示すグラフを含んでおり、
前記基準値が、前記グラフ上において移動可能な線として表示され、且つ
前記変更手段が、ユーザから前記グラフ上の前記基準値の線の移動指示を受け付けることにより、当該基準値の変更を受け付けるように構成されている請求項３に記載の癌の診断支援装置。
【請求項５】
前記記憶手段に記憶されたサンプルデータの各臨床情報を変更するためのデータ変更手段を更に備える請求項２〜４のいずれか一項に記載の癌の診断支援装置。
【請求項６】
前記記憶手段に記憶されたサンプルデータに、前記所定の項目の測定値及び前記臨床情報を新たに追加するためのデータ追加手段を更に備える請求項２〜５のいずれか一項に記載の癌の診断支援装置。
【請求項７】
前記臨床情報が、再発の有無、抗癌剤感受性及び生存率からなる群より選ばれる少なくとも１つである請求項２〜６のいずれか一項に記載の癌の診断支援装置。
【請求項８】
前記所定の項目が、細胞周期タンパク質の発現及び／又は活性に関する項目を含む請求項１〜７のいずれか一項に記載の癌の診断支援装置。
【請求項９】
前記細胞周期タンパク質が、サイクリン依存性キナーゼである請求項８に記載の癌の診断支援装置。
【請求項１０】
前記測定手段が、
悪性腫瘍から第１のサイクリン依存性キナーゼ（第１ＣＤＫ）及び第２のサイクリン依存性キナーゼ（第２ＣＤＫ）の各活性値を測定する活性測定手段と、
悪性腫瘍から前記第１ＣＤＫ及び第２ＣＤＫの各発現量を測定する発現測定手段と、
前記活性測定手段により得られた第１ＣＤＫの活性値と前記発現測定手段により得られた第１ＣＤＫの発現量との比（第１比活性）、及び、前記活性測定手段により得られた第２ＣＤＫの活性値と前記発現測定手段により得られた第２ＣＤＫの発現量との比（第２比活性）を算出する比活性算出手段と、
この比活性算出手段により得られた第１比活性と第２比活性との比（比活性比）を算出する比活性比算出手段とを含んでおり、
前記診断支援情報取得手段が、前記測定手段により得られた比活性比と前記記憶手段に記憶された基準値とを比較して癌の診断支援情報を取得するように構成されている請求項９に記載の癌の診断支援装置。
【請求項１１】
前記癌の診断支援情報が、被検癌患者の悪性腫瘍摘出後の再発リスク又は抗癌剤感受性である請求項１〜１０のいずれか一項に記載の癌の診断支援装置。
【手続補正２】
【補正対象書類名】明細書
【補正対象項目名】０００８
【補正方法】変更
【補正の内容】
【０００８】
本発明の癌の診断支援装置は、被検癌患者から採取した悪性腫瘍を用いて当該患者に対する癌の診断を支援する装置であって、
前記悪性腫瘍から所定の項目を測定する測定手段と、
測定値と比較することにより癌の診断支援情報を取得するための基準値を記憶する記憶手段と、
前記測定手段により得られた測定値と前記記憶手段に記憶された基準値とを比較して、癌の診断支援情報を取得する診断支援情報取得手段と、
得られた診断支援情報を出力する出力手段と、
ユーザから基準値の変更を受け付ける変更手段と、
前記記憶手段に記憶された基準値を、変更された基準値へ更新する更新手段と
を備えることを特徴としている。
【手続補正３】
【補正対象書類名】明細書
【補正対象項目名】００１０
【補正方法】変更
【補正の内容】
【００１０】
また、診断支援装置は、前記記憶手段に、他の癌患者の前記所定の項目の測定値と当該他の癌患者の悪性腫瘍摘出後の臨床情報とが対応付けられたサンプルデータが記憶されており、
前記記憶手段に記憶されたサンプルデータが前記出力手段に出力されているときに前記変更手段が基準値の変更を受け付けるように構成することができる。
このような構成の診断支援装置は、複数の癌患者の所定項目の測定値と当該複数の癌患者の悪性腫瘍摘出後の臨床情報とが対応付けられたサンプルデータを蓄積しており、この蓄積されたサンプルデータに基づいて、前記変更手段を用いてユーザが癌の診断支援情報を取得するための基準値の設定を変更することができる。
【手続補正４】
【補正対象書類名】明細書
【補正対象項目名】００１１
【補正方法】変更
【補正の内容】
【００１１】
前記出力手段が、前記記憶手段に記憶されたサンプルデータの各測定値及び各臨床情報と、前記記憶手段に記憶された基準値との関係を示す画面を出力し、且つ
前記変更手段が、前記画面において基準値の変更を受け付けるように構成することができる。
【手続補正５】
【補正対象書類名】明細書
【補正対象項目名】００１３
【補正方法】変更
【補正の内容】
【００１３】
本発明の癌の診断支援装置は、前記記憶手段に記憶されたサンプルデータの各臨床情報を変更するためのデータ変更手段を更に備えることができる。また、前記記憶手段に記憶されたサンプルデータに、前記所定の項目の測定値及び前記臨床情報を新たに追加するためのデータ追加手段を更に備えることができる。
このような構成の診断支援装置は、追加・変更により更新されたサンプルデータに基づいても、前記変更手段を用いてユーザが基準値の設定を変更することができる。
前記臨床情報を、再発の有無、抗癌剤感受性及び生存率からなる群より選ばれる少なくとも１つとすることができる。
【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
医用画像撮影装置で撮影された３次元画像を取得する取得手段と、
前記３次元画像に含まれる所定の組織を３次元の参照領域として抽出する参照領域抽出手段と、
前記抽出された参照領域に基づいて３次元の関心領域を設定する関心領域設定手段と、
前記設定された関心領域に関する情報を出力する出力手段と、
を備えたことを特徴とする画像処理装置。
【請求項２】
前記参照領域抽出手段によって抽出された参照領域の特徴量を算出する特徴量算出手段を更に備え、前記関心領域設定手段は、前記特徴量を用いて前記３次元の関心領域を設定することを特徴とする請求項１に記載の画像処理装置。
【請求項３】
前記特徴量は、前記参照領域の幾何学的な特徴である１次特徴量及び前記１次特徴量に基づいて算出される２次特徴量のうちの少なくとも１つであることを特徴とする請求項２に記載の画像処理装置。
【請求項４】
前記１次特徴量は、前記参照領域の輪郭又は濃度の少なくとも一つであり、前記２次特徴量は、前記輪郭に基づいて算出された重心、芯線、面、法線ベクトル、方向ベクトル、面積プロファイルの少なくとも一つ、又は前記濃度に基づいて算出された濃度勾配、平均濃度、濃度プロファイル、の少なくとも一つである、
ことを特徴とする請求項３に記載の画像処理装置。
【請求項５】
前記関心領域設定手段は、前記特徴量として算出された芯線と、その芯線に沿った境界条件と、に従って前記関心領域を設定する、
又は前記特徴量として算出された重心と、予め形状と重心とにより定義された領域からなる境界条件と、に従って前記関心領域を設定する、
若しくは、前記特徴量として算出された輪郭と、輪郭からの距離を用いて定義された境界条件と、に従って前記関心領域を設定する、
ことを特徴とする請求項４に記載の画像処理装置。
【請求項６】
前記芯線に沿った境界条件は、前記芯線に直交する面、球、前記芯線からの距離の少なくとも一つを用いて定義された条件、又は前記芯線を含む矩形領域として定義された条件である、
ことを特徴とする請求項５に記載の画像処理装置。
【請求項７】
医用画像撮影装置で撮影された３次元画像を取得するステップと、
前記３次元画像に含まれる所定の組織を３次元の参照領域として抽出するステップと、
前記抽出された参照領域に基づいて３次元の関心領域を設定するステップと、
前記設定された関心領域に関する情報を出力するステップと、
を演算装置に実行させるための画像処理プログラム。
【手続補正２】
【補正対象書類名】明細書
【補正対象項目名】００２６
【補正方法】変更
【補正の内容】
【００２６】
関心領域設定手段１４０は、参照領域特徴量算出手段１２０で算出された特徴量に基づいて、関心領域を決定するものである。例えば、芯線が特徴量として算出された場合には、芯線上の開始位置と、終了位置と、開始位置及び終了位置と芯線に沿った境界条件によって関心領域を設定する。境界条件は、具体的には、芯線に直交する面、球、芯線からの距離などで定義するのが多くの場合は好ましい。ただし、境界条件を矩形とする場合には、芯線に直交する面内の回転も考慮する必要があるため、回転角を決定するための基準（例えば、面内の方向ベクトル）を設ける必要がある。
【手続補正３】
【補正対象書類名】明細書
【補正対象項目名】００３３
【補正方法】変更
【補正の内容】
【００３３】
図２（ａ）において、ＡＸは、上述の方法等により定義された軸であり、面ＰＰ１、ＰＰ２は、軸ＡＸに直交する面を示している。面ＰＰ１、ＰＰ２における骨領域の面積Ｐ１、Ｐ２は、既に公知の方法で算出できる。その算出された面積プロファイルＦを図２（ｂ）に示す。なお、面積プロファイルＦの横軸は軸ＡＸ上の位置Ｐである。
【手続補正４】
【補正対象書類名】明細書
【補正対象項目名】００３９
【補正方法】変更
【補正の内容】
【００３９】
ここで、芯線などの参照領域の特徴量を基準として、ユーザーインターフェース１３０で閾値、関心領域を設定するための範囲（開始位置及び終了位置など）を制限する場合には、一般的なＧＵＩ（グラフィカル・ユーザーインターフェース）を用いることにより、直感的な操作が可能となる図４は、図２で示した芯線に直交する面内の面積プロファイル（図２（ｂ）参照）を特徴量とした場合のＧＵＩの例を示す。操作者が、芯線の軸方向で範囲を指定する場合にはスライドバー１、２を操作し、特徴量Ｆで範囲を規定する場合にはスライドバー３を操作することにより、範囲を容易に設定することができる。
【手続補正書】
【提出日】平成22年3月4日(2010.3.4)
【手続補正１】
【補正対象書類名】特許請求の範囲
【補正対象項目名】請求項１
【補正方法】変更
【補正の内容】
【請求項１】
洗米時間及び浸漬時間を含めて短時間で米飯を製造する方法であって、
所定量の米及び水を、上部に開口部を形成した容器に投入する工程と、
前記容器内の米及び水を、大気圧よりも高い圧力が維持されたチャンバー内で、マイクロ波の照射により１００℃を越える所定の温度まで急速に加熱する加熱工程と、
前記加熱工程後に、前記チャンバー内の圧力を減圧する減圧工程とからなる予備炊飯工程と、
前記予備炊飯工程後に前記容器内の米の仕上げ炊飯を行う仕上げ炊飯工程と、
を含む米飯の製造方法において、
前記予備炊飯工程が終了した時点で、前記水の一部は前記米に吸収され、残りは容器外に排出され、容器内に水が残留しないことを特徴とする米飯の製造方法。
【手続補正書】
【提出日】平成22年3月11日(2010.3.11)
【手続補正１】
【補正対象書類名】明細書
【補正対象項目名】００１５
【補正方法】変更
【補正の内容】
【００１５】
本発明によれば、ゲル化剤を水性媒体に分散して調合液を調製する際に、該調合液の液温をゲル化剤が膨潤する温度未満とすることができるので、ゲル化剤が水分を吸収することにより膨潤することがなく、調合液の粘度が上昇するのを抑制することができる。従って、ゲル化剤と共に添加される副原料が調合液中に均一に分散されて、均一品質のゼリー状食品等のゲル化剤含有物を得ることができる。また、調合液が送液中に詰まったり、送液装置に負担がかかったり、送液に時間がかかる等の問題を生じることなく、次工程への送液が容易に行われる。更には、調合液を保冷する必要が無いので、外気温度に関係なく安定して製造可能である。
また、本発明によれば、ゲル化剤の膨潤を抑制することができるため、従来のように、ゲル化剤が膨潤しないように、一旦ゲル化剤を一気に高温で完全溶解後、ゲル化しない温度（４０℃を超える）に保温しながら、他の原料と調合するという工程を要しないので、高温放置によるゲル化剤の分解を抑制でき、安定したゲル強度を付与することができる。従って、製造直後のみならず、長期保存後であっても、繋がった塊状であって伸びと弾力のある特有の食感を維持することができ、吸い口付き密封容器入りゼリー状食品に最適である。
上記のような吸い口付き密封容器入りゼリー状食品の形態とすることにより、吸い口付きの容器から弱い吸い出し力で連続的に吸い出されて味わうことができるため、年齢等に拘らず、容易に喫食し得るものである。更には、ゼリー状食品を、噛むこともできるので、咀嚼による「食べる」満足感を付与できるものである。
また、本発明では、糖類等の副原料の配合を適宜選択可能であるので、カロリーゼロ等に設計できる。
【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
可撓性膜素材にて形成され、弱シールによりその内部が薬剤を個別に収容する複数の隔室に区画された薬剤バッグと、薬剤バッグ外周部に取り付けられ、複数の隔室の一つに開口する排出口と、薬剤バッグの外部に装着され、弱シール未開通時に排出口からの薬剤の排出を阻止する薬剤排出阻止具とを備え、前記薬剤排出阻止具は排出口を挟んで対向され、薬剤バッグの開通時の薬液バッグの膨れ変形に協働せしめる一対の係合部材と、前記係合部材を通常状態において合体拘束し、排出口へのアクセスを阻止するが、係合部材が薬液バッグの膨れ変形と協働時に薬剤排出阻止具を薬液バッグから離脱せしめるべく拘束状態が解除される拘束部材とを具備し、前記一対の係合部材の対向面は排出口の実質的延長部位において薬剤バッグを実質的にフリーとする形状をなす複室容器。
【請求項２】
請求項１に記載の発明において、排出口の実質的延長部位における前記一対の係合部材の対向面は幅方向において局部的に薬剤バッグを実質的にフリーとする形状をなす複室容器。
【請求項３】
請求項２に記載の発明において、前記一対の係合部材の対向面は少なくとも一方が凹面状に形成される複室容器。
【請求項４】
請求項１から３のいずれか一項に記載の発明において、前記拘束部材は弾性力により一対の係合部材を合体拘束する複室容器。
【請求項５】
可撓性膜素材にて形成された薬剤バッグの内部を弱シールにより複数の隔室に区画し、区画された夫々の隔室に薬剤を収容し、薬剤バッグの外周部に複数の隔室に一方に開口するように排出口を装着すると共に、一対の係合部材と前記係合部材を合体拘束する拘束部材とからなる薬剤排出阻止具を、前記一対の係合部材が排出口を挟んで対向し薬剤バッグの開通時の薬液バッグの膨れ変形に協働せしめて拘束部材を解除せしめるようかつ排出口の実質的延長部位においては薬剤バッグをフリーとするように装着し、薬剤排出阻止具装着後に薬剤バッグと薬剤排出阻止具とを幾分相対変位させて前記非接触部位を介して可撓性膜素材を緊張させて可撓性膜素材に皺の発生があればこれを解消する方法。
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
アクリル系ゴムからなる多層構造粒子を含有する透明メタクリル樹脂シートの少なくとも片面に、アクリル酸エステル共重合体を含む粘着層を介して、該粘着層とポリエチレン樹脂からなる表面保護フィルムを有することを特徴とする弾球遊技機基盤用複合シート。
【請求項２】
アクリル系ゴムのアセトン不溶部が１５〜５０重量％であることを特徴とする請求項１に記載の弾球遊技機基盤用複合シート。
【請求項３】
ポリエチレン樹脂のＤＳＣ（示差走査熱量測定法）による融点が、１００℃〜１４０℃であることを特徴とする請求項１又は２に記載の弾球遊技機基盤用複合シート。
【請求項４】
ポリエチレン樹脂が直鎖状低密度ポリエチレン又は高密度ポリエチレンである請求項１〜３のいずれか１項に記載の弾球遊技機基盤用複合シート。
【請求項５】
ポリエチレン樹脂が高密度ポリエチレンである請求項１〜４のいずれか１項に記載の弾球遊技機基盤用複合シート。
【請求項６】
表面保護フィルムと粘着層とのマイクロメーターによる合計厚みが、５０〜２００μｍであることを特徴とする請求項１〜５のいずれか１項に記載の弾球遊技機基盤用複合シート。
【請求項７】
表面保護フィルムと粘着層との間の粘着強さが１００〜３００ｇ／５０ｍｍ幅であることを特徴とする請求項１〜６のいずれか１項に記載の弾球遊技機基盤用複合シート。
【手続補正２】
【補正対象書類名】明細書
【補正対象項目名】０００７
【補正方法】変更
【補正の内容】
【０００７】
本発明者らは、弾球遊技機基盤用複合シートの表面保護フィルム素材、粘着層の組成、及び厚み等の組成を鋭意研究した結果、特定の組成を有する表面保護フィルムと耐衝撃性を有する透明メタクリル樹脂シートを貼り合わせ使用することにより、前記課題が全て解
決されることを見出し、本発明を完成させるに至った。
即ち、本発明は、
［１］アクリル系ゴムからなる多層構造粒子を含有する透明メタクリル樹脂シート上の少なくとも片面に、アクリル酸エステル共重合体を含む粘着層を介して、該粘着層とポリエチレン樹脂からなる表面保護フィルムを有することを特徴とする弾球遊技機基盤用複合シート、
［２］アクリル系ゴムのアセトン不溶部が１５〜５０重量％であることを特徴とする［１］に記載の弾球遊技機基盤用複合シート、
【手続補正３】
【補正対象書類名】明細書
【補正対象項目名】０００８
【補正方法】変更
【補正の内容】
【０００８】
［３］ポリエチレン樹脂のＤＳＣ（示差走査熱量測定法）による融点が、１００℃〜１４０℃であることを特徴とする［１］又は［２］に記載の弾球遊技機基盤用複合シート、
［４］ポリエチレン樹脂が直鎖状低密度ポリエチレン又は高密度ポリエチレンである［１］〜［３］のいずれか１つに記載の弾球遊技機基盤用複合シート、
［５］ポリエチレン樹脂が高密度ポリエチレンである［１］〜［４］のいずれか１つに記載の弾球遊技機基盤用複合シート、
［６］表面保護フィルムと粘着層とのマイクロメーターによる合計厚みが、５０〜２００μｍであることを特徴とする［１］〜［５］のいずれか１つに記載の弾球遊技機基盤用複合シート、
［７］表面保護フィルムと粘着層との間の粘着強さが１００〜３００ｇ／５０ｍｍ幅であることを特徴とする［１］〜［６］のいずれか１つに記載の弾球遊技機基盤用複合シート。
【手続補正４】
【補正対象書類名】明細書
【補正対象項目名】００１７
【補正方法】変更
【補正の内容】
【００１７】
（３）アセトン不溶部（重量％）
透明メタクリル樹脂シートの一部を精秤後の重量（Ｗ１）、遠沈管に入れた後、アセトンを加えて溶解し、アセトン可溶部を除去する。真空乾燥機にて溶媒を飛ばし冷却後、秤量した残留物をアセトン不溶部とする（Ｗ２）。
ゴム配合量とアセトン不溶部とは一致せず、同一サイズでもゴム粒子構造（最外硬質層：アセトンに溶解）が異なると、得られる物性も異なるため、耐衝撃性に寄与するゴム分をアセトン不溶部として定義した。
次式により、アセトン不溶部（重量％）（Ｘ）を算出する。
アセトン不溶部（Ｘ）＝（Ｗ２／Ｗ１）×１００
本発明に使用するメタクリル樹脂中のアセトン不溶部は、光学特性（全光線透過率）、鉛筆硬度、切削加工性（フィルム捲れ、バリ及びカケ等の発生）、釘打ち後（白化発生の有無、クラック発生の有無）等の観点から１５〜５０重量％が好ましく、より好ましくは２０〜４５重量％である。
【手続補正５】
【補正対象書類名】明細書
【補正対象項目名】００２４
【補正方法】変更
【補正の内容】
【００２４】
（２）アセトン不溶部
表面保護フィルムを剥がした透明樹脂シートを一昼夜（約８０℃、約１２時間以上）乾燥後、透明樹脂シートの一部を切出し約１．００ｇ精秤後（Ｗ１）、遠沈管（金属製チューブ）に試料を入れた後にアセトン２０ｍｌを加え室温で約１日静置後、振とう機にて２時間振とうする。次に日立工機（株）製  真空式高速冷却遠心機  機種：ＣＲ２６Ｈを使用し、５℃、２４０００ｒｐｍに条件設定し、１時間遠心分離する。
振とう後、上澄み液をデカンテーションして除いた後、新たにアセトン２０ｍｌを加え室温で１時間振とうする。振とう後、５℃、２４０００ｒｐｍの条件にて１時間遠心分離する。再度、同一方法及び条件で繰り返し合計３回行った。上澄み液をデカンテーションして除き、一晩風乾する。
真空乾燥機を１００℃に設定し、一昼夜（約１２時間以上）真空乾燥後に取出し、デシケーター内で室温まで冷却後、残留物の重量を秤量した（Ｗ２）。
次式により、アセトン不溶部（重量％）を算出する（Ｘ）。
アセトン不溶部（Ｘ）＝（Ｗ２／Ｗ１）×１００
【手続補正書】
【提出日】平成22年1月29日(2010.1.29)
【手続補正１】
【補正対象書類名】明細書
【補正対象項目名】００２８
【補正方法】変更
【補正の内容】
【００２８】
なお図２においては、Ｔ1 時点からＴ2 時点までの間に足踏みペダル15が中立状態に維持されることとなっているが、このような中立状態の維持は必須の操作ではなく、足踏みペダル15は、踏み込み状態から中立状態を経て踏み返し状態に移行するように操作されてもよい。この場合シーケンス制御部７は、針40，40が上死点近傍にあって、ルーパ30が左進端近傍にある状態を一旦実現して以下の動作を開始する。
【手続補正２】
【補正対象書類名】明細書
【補正対象項目名】００２９
【補正方法】変更
【補正の内容】
【００２９】
ほつれ止めのためにシーケンス制御部７は、まず、ルーパ糸掛けフック５に動作指令を発し、該ルーパ糸掛けフック５を進退動作させて、左進端にあるルーパ30に保持されたルーパ糸を捉えて保持させる。次にシーケンス制御部７は、図２のＴ3 時点において、主軸回転位置検出器14から与えられるミシン主軸10の回転位置を参照しつつミシンモータ２に動作指令を発し、ルーパ糸掛けフック５によるルーパ糸の保持を維持したまま一針以上の縫製を行わせ、針40，40が上死点近傍に戻り、ルーパ30が左進端近傍に戻った状態でミシン１を再停止させる。
【手続補正３】
【補正対象書類名】明細書
【補正対象項目名】００３５
【補正方法】変更
【補正の内容】
【００３５】
本図に示す動作は、縫製動作の終了後、足踏みペダル15が踏み込み状態から中立状態に戻され、ミシン１が一時停止されたことを条件として開始され、シーケンス制御部７は、足踏みペダル15の踏み返し操作の有無を判定する（ステップ１）。踏み返し操作がなされない場合（ステップ１：ＮＯ）には、踏み込み操作の有無を判定し（ステップ２）、踏み込み操作がなされない場合（ステップ２：ＮＯ）には、踏み返し操作がなされるまで待機する。
【手続補正４】
【補正対象書類名】図面
【補正対象項目名】図１
【補正方法】変更
【補正の内容】
【図１】
2008220597.tif 000001
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
着用者の肌に近い側に位置し且つ通気性を有する第１の面と、着用者の肌から遠い側に位置する第２の面と、第１の面及び第２の面の間に介在配置された発熱部とを備え、横方向Ｘに延びる上縁及び下縁と縦方向Ｙに延びる左右の側縁とを有し、横方向Ｘに長い形状である発熱具であって、
第２の面の外面に発熱具を衣類へ固定するための粘着部が設けられており、
前記粘着部は、発熱具の縦方向Ｙに延びる中心線ＣLに沿って縦方向Ｙに延び且つ上下縁まで達している中央帯状域Ａ、上縁に沿って横方向Ｘに延び且つ左右側縁まで達している上部帯状域Ｂ、及び下縁の中心位置から該下縁に沿って左右側縁へ向けて横方向Ｘに延びる下部帯状域Ｃ以外の領域に設けられている発熱具。
【請求項２】
上縁は、発熱具の横方向Ｘに延びる中心線Ｌに向かう内向きの凸状となるような曲線形状をしており、下縁は、該中心線Ｌに対して外向きの凸状となるような曲線形状をしており、左右の側縁は、それぞれ外向きの凸状となるような曲線形状をしている請求項１記載の発熱具。
【請求項３】
左右の側縁に沿って上部帯状域の下端部から下縁にまで達する縦方向Ｙに延びる領域に設けられた一対の第１の粘着部と、
各第１の粘着部と中央帯状域との間であって、且つ上部帯状域の下端部から下部帯状域の上端部にまで達する縦方向Ｙに延びる帯状の領域に設けられた一対以上の第２の粘着部とが設けられている請求項１又は２記載の発熱具。
【請求項４】
第２の面が第１の面よりも難通気性であるか、又は非通気性である請求項１ないし３の何れかに記載の発熱具。
【請求項５】
発熱部が、所定温度に加熱された水蒸気を発生するものである請求項１ないし４の何れかに記載の発熱具。
【請求項６】
請求項１ないし５の何れかに記載の発熱具の使用方法であって、
第１の面に親指を当て、且つショーツに対向する中央帯状域に沿って他の指を添えて発熱具を把持し、発熱具をショーツの前身頃内面に貼付け、
発熱具を取り外すときには、親指以外の指を中央帯状域に沿って発熱具とショーツとの間に挿入し、且つ第１の面に親指を添え、親指と他の指で発熱具を把持して取り外す、発熱具の使用方法。
【手続補正２】
【補正対象書類名】明細書
【補正対象項目名】００２０
【補正方法】変更
【補正の内容】
【００２０】
蒸気温熱具１０を着用者の最下腹部に対応する位置に一層フィット性よく固定する観点から、下縁１０ｂ並びに側縁１０ｃ，１０ｄは以下に述べるような曲線形状を有していることが好ましい。即ち、図４に示すように、下縁１０ｂにおける最下部の位置での接線Ｈから２０ｍｍ下方の位置において該接線Ｈと平行に引いた直線Ｌと、蒸気温熱具１０の縦中心線Ｃとの交点をＳとし、また、該直線Ｌ上における該交点Ｓから４５ｍｍ離れた位置をＴとし、更に位置Ｔを通る蒸気温熱具１０の側縁１０ｄ（１０ｃ）の接線をＰとしたとき、下縁１０ｂ及び側縁１０ｃ，１０ｄは、該接線Ｐと該直線Ｌとのなす角θが１００〜１５０度、特に１００〜１３０度となるような曲線形状を有していることが好ましい。
【手続補正３】
【補正対象書類名】明細書
【補正対象項目名】００４０
【補正方法】変更
【補正の内容】
【００４０】
包装材には、蒸気温熱具１０が生理痛を緩和する旨の表示を付すことが好ましい。このような表示によって、消費者に対して、従来知られていた一般の使い捨てカイロでは十分に達成し得なかった生理痛の緩和効果が、本発明によって達成されることを知らせることができる。したがって消費者は、本発明の改良された性能の十分な価値を容易に認識することになる。前記の表示には、文字はもちろんのこと、記号や図形等、本発明の改良された性能を消費者に伝え得るあらゆる情報手段が含まれる。また前記の表示には、本発明が、他の製品に比して優れている旨の情報を含めることができる。更に、前記の表示を包装袋に付すことに加えて、又はそれに代えて、当該表示を含む指示書を、蒸気温熱具１０と共に包装材の中に入れてもよい。或いは、蒸気温熱具１０そのものに、当該表示を付してもよい。
【手続補正４】
【補正対象書類名】明細書
【補正対象項目名】００４４
【補正方法】変更
【補正の内容】
【００４４】
以上、本発明をその好ましい実施形態に基づき説明したが、本発明は前記実施形態に制限されない。例えば第１及び第２の実施形態においては第２の粘着部１６ｂは、蒸気温熱具１０の縦方向に延びる中心線ＣLに関して線対称に形成されていたが、各粘着部１６が中心線ＣLに関して線対称に形成されている必要はない。また第２の粘着部１６ｂは、三対以上形成されていてもよい。
【手続補正書】
【提出日】平成22年3月10日(2010.3.10)
【手続補正１】
【補正対象書類名】特許請求の範囲
【補正対象項目名】請求項１
【補正方法】変更
【補正の内容】
【請求項１】
体腔内に挿入される挿入部と、
該挿入部の先端における前記体腔内の画像を取得する画像取得部と、
前記挿入部の基端側に配置され、前記挿入部の前記体腔内への挿入長を測定する挿入長測定部と、
前記画像取得部により取得された画像と前記挿入長測定部により測定された挿入長とを対応づけて記憶する記憶部と、
前記挿入部の基端側における挿入動作に、前記挿入部の先端側における挿入動作が追従しているか否かを判定する追従判定部と、
該追従判定部による判定結果に基づいて、先端側における挿入動作が基端側における挿入動作に追従していない期間において、前記挿入長測定部により測定された挿入長の変化をキャンセルするように、前記画像取得部により取得される画像に対応づける前記挿入部の挿入長を補正する補正部とを備える内視鏡装置。
【手続補正２】
【補正対象書類名】特許請求の範囲
【補正対象項目名】請求項６
【補正方法】変更
【補正の内容】
【請求項６】
画像取得部により取得された体腔内に挿入される挿入部の先端における前記体腔内の画像と、前記挿入部の基端側において測定された該挿入部の前記体腔内への挿入長とを対応づけて記録する内視鏡画像記録方法であって、
前記挿入部の基端側における挿入動作に、前記挿入部の先端側における挿入動作が追従しているか否かを判定し、
その判定結果に基づいて、先端側における挿入動作が基端側における挿入動作に追従していない期間に測定された挿入長の変化をキャンセルするように、取得された画像に対応づける挿入長を補正する内視鏡画像記録方法。
【手続補正３】
【補正対象書類名】明細書
【補正対象項目名】０００７
【補正方法】変更
【補正の内容】
【０００７】
上記目的を達成するために、本発明は以下の手段を提供する。
本発明は、体腔内に挿入される挿入部と、該挿入部の先端における前記体腔内の画像を取得する画像取得部と、前記挿入部の基端側に配置され、前記挿入部の前記体腔内への挿入長を測定する挿入長測定部と、前記画像取得部により取得された画像と前記挿入長測定部により測定された挿入長とを対応づけて記憶する記憶部と、前記挿入部の基端側における挿入動作に、前記挿入部の先端側における挿入動作が追従しているか否かを判定する追従判定部と、該追従判定部による判定結果に基づいて、先端側における挿入動作が基端側における挿入動作に追従していない期間において、前記挿入長測定部により測定された挿入長の変化をキャンセルするように、前記画像取得部により取得される画像に対応づける前記挿入部の挿入長を補正する補正部とを備える内視鏡装置を提供する。
【手続補正４】
【補正対象書類名】明細書
【補正対象項目名】００１６
【補正方法】変更
【補正の内容】
【００１６】
また、本発明は、画像取得部により取得された体腔内に挿入される挿入部の先端における前記体腔内の画像と、前記挿入部の基端側において測定された該挿入部の前記体腔内への挿入長とを対応づけて記録する内視鏡画像記録方法であって、前記挿入部の基端側における挿入動作に、前記挿入部の先端側における挿入動作が追従しているか否かを判定し、その判定結果に基づいて、先端側における挿入動作が基端側における挿入動作に追従していない期間に測定された挿入長の変化をキャンセルするように、取得された画像に対応づける挿入長を補正する内視鏡画像記録方法を提供する。
【手続補正５】
【補正対象書類名】明細書
【補正対象項目名】００３７
【補正方法】変更
【補正の内容】
【００３７】
そして、追従判定部８が、負荷センサ１８の出力を監視して、出力がピークＰを越えた時点で挿入部２の先端の体腔Ｘ内面に対する相対的な移動の再開を検出し、非追従期間が終了したものと判定する。具体的には、負荷センサ１８の出力を検出し（ステップＳ５）、負荷センサ１８の出力が所定のしきい値を越えたか否かを判定する（ステップＳ６）。その後、再度、負荷センサ１８の出力を検出し（ステップＳ７）、所定のしきい値を越えた後に再度しきい値を下回ったか否かを判定する（ステップＳ８）。これにより、負荷センサ１８の出力が再度しきい値を下回った時点を、負荷センサ１８の出力がピークＰを越えた時点として検出する。
【手続補正６】
【補正対象書類名】明細書
【補正対象項目名】００４８
【補正方法】変更
【補正の内容】
【００４８】
ここで、一度だけＦｉ＋１―Ｆｉが負に転じただけで、改めて算出されたＦｉ＋１―Ｆｉが正の場合、ステップＳ１３においては、ＮＯと判定される。このため、改めてａにゼロを代入し、かつ、ｉをインクリメントする（ステップＳ１５）。一方、３回連続でＦｉ＋１―Ｆｉが負に転じた場合は、ステップＳ１７においてＹＥＳと判定される。このように負荷の変化の符号の反転が複数回行われたか否かを判定することで、ノイズにより単発的に符号が変化する場合を判定の対象から除くこととしている。
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
マイクロプロセッサからのデータ及びコマンドに基づいて発光ダイオードの発光輝度を多段階に変化させる階調制御回路を備えるパチンコ遊技機であって、
前記階調制御回路は、少なくとも、
発光輝度を指定するＯＮ時間が複数設定された階調値を、ＯＮ時間設定テーブルとして複数記憶するＯＮ時間設定テーブル用レジスタ群と、
該ＯＮ時間設定テーブル用レジスタ群に記憶された前記複数のＯＮ時間設定テーブルの階調値を並べる配列が複数設定された波形配列を、波形テーブルとして複数記憶する波形テーブル用レジスタ群と、
前記ＯＮ時間設定テーブル用レジスタ群に記憶する前記複数のＯＮ時間設定テーブルの階調値及び前記波形テーブル用レジスタ群に記憶する前記複数の波形テーブルの波形配列を初期データとして前記マイクロプロセッサから受信するほか、前記発光ダイオードを階調点灯させるパターンを指示するコマンドを受信するシリアル部と、
該シリアル部で受信した前記初期データを前記ＯＮ時間設定テーブル用レジスタ群及び前記波形テーブル用レジスタ群に記憶する制御を行う一方、当該シリアル部で受信した前記コマンドに基づいて前記ＯＮ時間設定テーブル用レジスタ群に記憶する前記複数のＯＮ時間設定テーブルの階調値及び前記波形テーブル用レジスタ群に記憶する前記複数の波形テーブルの波形配列を参照して前記発光ダイオードを階調点灯させるパターンを作成する階調更新制御部と、
該階調更新制御部で作成した前記パターンに基づいて前記発光ダイオードを階調点灯させるパルスを生成して当該発光ダイオードに階調点灯信号を出力するパルス生成部と、
を備え、
前記マイクロプロセッサは、少なくとも、
電源投入時に、前記階調制御回路に前記初期データを送信する電源投入時初期データ送信制御手段と、
定期割り込みタイマが発生するごとに定期処理を実行する定期処理実行制御手段と、
該定期処理実行制御手段でかかった時間を算出する定期処理時間算出制御手段と、
前記定期割り込みタイマから前記定期処理時間算出制御処理で算出した時間を差し引いて当該定期割り込みタイマの残時間を算出する残時間算出制御手段と、
該残時間算出制御手段で算出した前記定期割り込み時間の残時間に基づいて該残時間内に前記階調制御回路に送信できるデータの大きさを算出し、かつ、前記電源投入時初期データ送信制御手段で送信した前記初期データから該算出した大きさのデータを抽出して当該階調制御回路に送信する残時間初期データ送信制御手段と、
を備えることを特徴とするパチンコ遊技機。
【請求項２】
前記定期割り込みタイマは、前記電源投入時初期データ送信制御手段が前記階調制御回路に前記初期データを送信するのにかかる時間より小さいことを特徴とする請求項１に記載のパチンコ遊技機。
【請求項３】
請求項１又は２に記載のパチンコ遊技機であって、
前記階調制御回路は、さらに、
前記定期割り込み時間の残時間に前記マイクロプロセッサから受信した前記初期データの和を算出するデータサム値算出部と、
前記定期割り込み時間の残時間に前記ＯＮ時間設定テーブル用レジスタ群及び前記波形テーブル用レジスタ群に記憶した前記初期データを抽出してその和を算出する抽出データサム値算出部と、
を備えることを特徴とするパチンコ遊技機。
【請求項４】
請求項３に記載のパチンコ遊技機であって、
前記データサム値算出部及び前記抽出データサム値算出部が同一のサム値算出部で構成され、
前記マイクロプロセッサは、さらに、
前記階調制御回路の前記サム値算出部から前記サム値を受信して予め定めた判定用サム値と一致しているか否かを判定するサム値判定制御手段
を備えることを特徴とするパチンコ遊技機。
【手続補正２】
【補正対象書類名】明細書
【補正対象項目名】００２０
【補正方法】変更
【補正の内容】
【００２０】
本発明の請求項１においては、ノイズの影響を受けてもマイクロプロセッサが意図するパターンで発光ダイオードを階調点灯させることができる。請求項２においては、階調制御回路は、電源投入時に送信された初期データと同一の初期データを、定期割り込みタイマが発生するごとに、少しずつ繰り返し受信することができ、ＯＮ時間設定テーブル用レジスタ群に記憶する複数のＯＮ時間設定テーブルの階調値及び波形テーブル用レジスタ群に記憶する複数の波形テーブルの波形配列を少しずつ繰り返し上書きすることができる。請求項３においては、階調制御回路は、定期割り込みタイマの残時間を利用した初期データの上書きが終了した際に、データサム値算出部で算出したサム値と、抽出データサム値算出部で算出したサム値と、が一致しているか否かを判定することができ、その判定結果が一致していないときには、上書き終了時に何らかの影響を受けていることが分かり、例えば、階調制御回路とマイクロプロセッサとの間におけるノイズの影響や階調制御回路とマイクロプロセッサとの初期データの信頼性等を確認することができる。請求項４においては、マイクロプロセッサは、初期データを送信した際に、サム値算出部から算出したサム値を読み出し、予め定めた判定用サム値と一致しているか否かを判定することができ、その判定結果が一致していないときには、初期データを送信した際に何らかの影響を受けていることが分かり、例えば、階調制御回路とマイクロプロセッサとの間におけるノイズの影響や階調制御回路とマイクロプロセッサとの初期データの信頼性等を確認することができる。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体と、前記可動表示体を複数備えた図柄変動表示装置、前記可動表示体に付された図柄帯上の図柄を所定個数分の図柄群として前記図柄変動表示装置内の所定箇所に表示可能とする図柄表示部を有し、遊技価値の投入と遊技者の始動操作により複数の前記可動表示体の変動を開始させ、全ての前記可動表示体の停止操作が受け付けられると、前記図柄変動表示装置に１回のゲームの結果を表示する遊技機において、
１回のゲームごとに予め決められた複数の遊技特典の中からいずれかの遊技特典を選び出す内部抽選を行う内部抽選手段と、
前記遊技特典を付与する契機となる所定の表示態様が前記図柄表示部に表示されているか否かを判定する表示態様判定手段と、
前記表示態様判定手段により前記所定の表示態様が表示されていると判定された場合、当該遊技特典を付与する遊技特典付与手段と、
複数のゲームにわたり遊技価値の付与機会を増加させる付与機会増加手段と、
前記複数の遊技特典として、前記付与機会増加手段による遊技価値の付与機会が増加される２つの特別特典を少なくとも有し、
前記２つの特別特典のうち、一方の特別特典のみ、当該特別特典に加えて所定の遊技特典の付与機会を特定数のゲームにわたり増加させた追加特典を付与する追加特典付与手段と、
前記追加特典付与手段により前記追加特典が付与されている追加特典付与状態で、前記内部抽選の抽選結果として前記特別特典のうち、他方の特別特典が選び出された場合、前記特定数のゲームが終わるまで前記所定の遊技特典を前記他方の特別特典に比して優先して付与させる追加特典優先付与状態を継続させる追加特典優先付与状態継続手段と
を備え、
前記内部抽選手段は、前記追加特典優先付与状態においても前記他方の特別特典とは別の前記特別特典を含む全ての遊技特典を抽選対象として前記内部抽選を実行させる抽選対象決定手段を有し、
前記追加特典優先付与状態継続手段は、前記追加特典優先付与状態で、前記内部抽選の抽選結果として前記一方の特別特典が選び出された場合、当該一方の特別特典及び前記他方の特別特典を順次付与する順次特典付与手段をさらに備える
ことを特徴とする遊技機。
【請求項２】
前記付与機会増加手段は、前記他方の特別特典にて付与される遊技価値の総数が前記一方の特別特典にて付与される遊技価値の総数に比べて少なくとも同程度となるべく複数のゲームにわたり遊技価値の付与機会を増加させる
ことを特徴とする請求項１に記載の遊技機。
【請求項３】
前記追加特典付与状態にて、前記内部抽選の抽選結果として前記一方の特別特典が選び出された場合、前記特定数のゲームが終わるまで前記所定の遊技特典を前記一方の特別特典に比して優先して付与させる最優先追加特典付与状態を継続させる最優先追加特典付与状態継続手段
をさらに備え、
前記抽選対象決定手段は、前記最優先追加特典付与状態において前記特別特典とは別の全ての遊技特典を抽選対象として前記内部抽選を実行させる
ことを特徴とする請求項１または請求項２に記載の遊技機。
【手続補正２】
【補正対象書類名】明細書
【補正対象項目名】０００７
【補正方法】変更
【補正の内容】
【０００７】
（解決手段１）
解決手段１は、複数種類の図柄を施した図柄帯が付された可動表示体と、前記可動表示体を複数備えた図柄変動表示装置、前記可動表示体に付された図柄帯上の図柄を所定個数分の図柄群として前記図柄変動表示装置内の所定箇所に表示可能とする図柄表示部を有し、遊技価値の投入と遊技者の始動操作により複数の前記可動表示体の変動を開始させ、全ての前記可動表示体の停止操作が受け付けられると、前記図柄変動表示装置に１回のゲームの結果を表示する遊技機において、１回のゲームごとに予め決められた複数の遊技特典の中からいずれかの遊技特典を選び出す内部抽選を行う内部抽選手段と、前記遊技特典を付与する契機となる所定の表示態様が前記図柄表示部に表示されているか否かを判定する表示態様判定手段と、前記表示態様判定手段により前記所定の表示態様が表示されていると判定された場合、当該遊技特典を付与する遊技特典付与手段と、複数のゲームにわたり遊技価値の付与機会を増加させる付与機会増加手段と、前記複数の遊技特典として、前記付与機会増加手段による遊技価値の付与機会が増加される２つの特別特典を少なくとも有し、前記２つの特別特典のうち、一方の特別特典のみ、当該特別特典に加えて所定の遊技特典の付与機会を特定数のゲームにわたり増加させた追加特典を付与する追加特典付与手段と、前記追加特典付与手段により前記追加特典が付与されている追加特典付与状態で、前記内部抽選の抽選結果として前記特別特典のうち、他方の特別特典が選び出された場合、前記特定数のゲームが終わるまで前記所定の遊技特典を前記他方の特別特典に比して優先して付与させる追加特典優先付与状態を継続させる追加特典優先付与状態継続手段とを備え、前記内部抽選手段は、前記追加特典優先付与状態においても前記他方の特別特典とは別の前記特別特典を含む全ての遊技特典を抽選対象として前記内部抽選を実行させる抽選対象決定手段を有し、前記追加特典優先付与状態継続手段は、前記追加特典優先付与状態で、前記内部抽選の抽選結果として前記一方の特別特典が選び出された場合、当該一方の特別特典及び前記他方の特別特典を順次付与する順次特典付与手段をさらに備えることを特徴とする遊技機である。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
遊技を実行する遊技装置と、当該遊技装置の遊技制御を実行する遊技制御手段とを備え、前記遊技装置の遊技結果として入賞が成立した場合に遊技者に特典を付与する遊技機において、
前記遊技制御手段の遊技制御結果に基づいて、予め設定された期間における累積判定対象値を把握する把握手段と、
把握手段により把握された前記累積判定対象値と予め設定された基準値とを比較判定する判定手段と、
当該判定手段の判定結果に基づいて、前記累積判定対象値が異常であることを示す報知処理又はホール管理装置への外部出処理を実行する処理実行手段と、
を備えたことを特徴とする遊技機。
【請求項２】
絵柄を可変表示する絵柄表示装置と、
絵柄の可変表示を開始させるべく操作される始動操作手段と、
始動操作手段の操作に基づいて役の抽選を行う抽選手段と
を備え、
前記役の抽選結果が特典役当選であって、前記絵柄の可変表示領域における予め定められた有効位置に前記当選となった特典役に対応した特典役対応入賞が成立した場合に遊技者に特典を付与する遊技機において、
各遊技回における役の当選結果又は入賞の成立結果に基づいて複数遊技回における累積判定対象値を把握する把握手段と、
把握手段により把握された前記累積判定対象値と予め設定された基準値とを比較判定する判定手段と、
当該判定手段の判定結果に基づいて、前記累積判定対象値が異常であることを示す報知処理又はホール管理装置への外部出処理を実行する処理実行手段と、
を備えたことを特徴とする遊技機。
【請求項３】
前記累積判定対象値は、所定の特典役の累積当選回数であり、
前記判定手段は、前記累積当選回数が上限基準値に達しているか否かを判定するものであり、
前記上限基準値として、第１上限基準値とそれよりも値が大きい第２上限基準値とを設定し、
前記判定手段は、
前記累積当選回数が第１上限基準値に達しているか否かを判定する第１判定手段と、
前記累積当選回数が前記第２上限基準値に達しているか否かを判定する第２判定手段と、
を備え、
前記処理実行手段は、
前記第１判定手段により前記累積当選回数が第１上限基準値に達したと判定されたことに基づいて、前記累積当選回数が異常であることを示す報知処理又はホール管理装置への外部出処理を実行する第１処理実行手段と、
前記第２判定手段により前記累積当選回数が第２上限基準値に達したと判定されたことに基づいて、その後の遊技を禁止する遊技禁止処理を実行する第２処理実行手段と
を備えたことを特徴とする請求項２に記載の遊技機。
【請求項４】
前記累積判定対象値は、所定の特典役の累積当選回数であり、
前記判定手段は、前記累積当選回数が下限基準値に達していないか否かを判定するものであり、
前記処理実行手段は、前記判定手段により前記累積当選回数が下限基準値に達していないと判定されたことに基づいて、前記累積当選回数が異常であることを示す報知処理又はホール管理装置への外部出処理を実行するものであることを特徴とする請求項２又は３に記載の遊技機。
【請求項５】
少なくとも前記所定の特典役の抽選結果履歴を記憶する履歴記憶手段を備え、
当該履歴記憶手段は、最も近い遊技回から予め定められた遊技回数の範囲内における累積当選回数を把握する上で必要な遊技回数分について、各遊技回における少なくとも前記所定の特典役の抽選結果履歴を順次記憶するとともに、当該必要な遊技回数を超える遊技回についての抽選結果履歴を順次消去する構成であり、
さらに、前記把握手段は、
前記累積当選回数を記憶する累積当選回数記憶手段と、
前記所定の特典役に当選した場合に、その当選に対応した値を前記累積当選回数に加算する加算手段と、
前記所定の特典役に当選した旨の抽選結果履歴が前記履歴記憶手段から消去される場合に、その消去に対応した値を前記累積当選回数から減算する減算手段と
を備えたことを特徴とする請求項２乃至４のいずれか１に記載の遊技機。
【請求項６】
前記特典役として、媒体付与役を設定し、
前記役の抽選結果が前記媒体付与役の当選であって、前記有効位置に前記当選となった媒体付与役に対応した媒体付与役対応入賞が成立した場合に所定数の遊技媒体を付与する媒体付与手段を備え、
前記累積判定対象値は、前記媒体付与手段により付与される遊技媒体の累積付与数であり、
前記判定手段は、前記累積付与数が前記基準値に達しているか否かを判定するものであり、
前記処理実行手段は、前記判定手段の判定結果に基づいて、前記累積付与数が異常であることを示す報知処理又はホール管理装置への外部出処理を実行するものであることを特徴とする請求項２に記載の遊技機。
【請求項７】
所定の移行契機条件が成立した場合に遊技状態を通常遊技状態から当該通常遊技状態とは遊技者の有利度合いが異なる特別遊技状態に移行させる状態移行手段を備え、
前記基準値として、通常用基準値と特別用基準値とを設定し、
前記把握手段は、
前記通常遊技状態において各遊技回における当選結果又は入賞の成立結果に基づいて複数遊技回における通常用累積判定対象値を把握する通常用把握手段と、
前記特別遊技状態において各遊技回における当選結果又は入賞の成立結果に基づいて複数遊技回における特別用累積判定対象値を把握する特別用把握手段と
を備え、
前記判定手段は、
前記通常用把握手段により把握された前記通常用累積判定対象値と前記通常用基準値とを比較判定する通常用判定手段と、
前記特別用把握手段により把握された前記特別用累積判定対象値と前記特別用基準値とを比較判定する特別用判定手段と
を備えたことを特徴とする請求項２乃至６のいずれか１に記載の遊技機。